(57)【要約】【課題】  従来よりもシステム全体を簡素化かつ低コスト化し、しかも相互変調積による赤外線通信への影響を防止する。【解決手段】  この赤外線会議システム１２は、センタ装置１２と、複数台の送受光装置１４，１４，…と、複数台の端末装置１６，１６，…とを、備えている。センタ装置１２とそれぞれの送受光装置１４とは、１本の同軸ケーブル２０を介して、またはこれに加えて１台以上の混合分配器２２を介して、接続されている。そして、それぞれの送受光装置１４と端末装置１６との間では、赤外線によってＦＭ信号が送受信される。なお、送受光装置１４は、当該赤外線を発光するための赤外線発光ダイオードを有しており、この赤外線発光ダイオードは、上述のＦＭ信号の信号レベルに従う大きさの電流によって輝度変調を掛けられる。つまり、線形素子として駆動される。従って、相互変調積は生じない。【選択図】        図１
2005277926.tif 000002
【特許請求の範囲】
【請求項１】
互いに混合された状態で１本の伝送線路を介して送られてくる互いに異なる周波数帯域の複数の第１信号を受信する受信手段と、
赤外線発光ダイオードを備えており上記受信手段によって受信された上記複数の第１信号に基づいて該赤外線発光ダイオードを発光させる発光手段と、
上記周波数帯域とはさらに異なる特定の周波数帯域の第２信号に基づいて生成された赤外線を受光して該第２信号を再現する受光手段と、
上記受光手段によって再現された上記第２信号を上記伝送線路に送り込む送信手段と、
を具備し、
上記赤外線発光ダイオードは順方向電流値に対する発光出力値が略比例する特性を有し、
上記発光手段は上記複数の第１信号の大きさに応じた値の電流を上記赤外線発光ダイオードに対し順方向に流し込むことによって該赤外線発光ダイオードを発光させる、
赤外線通信装置。
【請求項２】
上記発光手段は、上記複数の第１信号を上記電流に変換する変換手段と、該変換手段によって変換された上記電流を上記赤外線発光ダイオードに流し込む電流供給手段と、を備える、請求項１に記載の赤外線通信装置。
【請求項３】
上記受光手段は上記赤外線発光ダイオードの近傍に設けられた、請求項１または２に記載の赤外線通信装置。
【請求項４】
上記受信手段によって受信された上記複数の第１信号の大きさを検出する検出手段と、
上記検出手段による検出結果に基づいて上記複数の第１信号を所定の大きさとなるように調整する第１調整手段と、
をさらに備える、請求項１ないし３のいずれかに記載の赤外線通信装置。
【請求項５】
上記受信手段によって受信された上記複数の第１信号の大きさを検出する検出手段と、
上記検出手段による検出結果に基づいて上記第２信号の大きさを調整する第２調整手段と、
をさらに備える、請求項１ないし３のいずれかに記載の赤外線通信装置。
【請求項６】
上記複数の第１信号のそれぞれは周波数変調された信号である、請求項１ないし５のいずれかに記載の赤外線通信装置。
【請求項７】
上記第２信号は周波数変調された信号である、請求項１ないし６のいずれかに記載の赤外線通信装置。
【発明の詳細な説明】
【技術分野】
【０００１】
この発明は、通信媒体として赤外線を使用する赤外線通信装置に関し、特に例えば複数台の端末装置を備えた赤外線会議システムに適用される赤外線通信装置に関する。
【背景技術】
【０００２】
上述のような赤外線会議システムとして、従来、例えば非特許文献１に開示されたものがある。この従来技術によれば、図１１に示すように、赤外線通信装置としての多チャンネル受発光ユニット１が、例えば会議室の天井に取り付けられる。そして、この多チャンネル受発光システム１は、２本の同軸ケーブル２および３を介して、例えば同会議室の隅に設置されたマスタコントロールユニット４に接続される。さらに、同会議室の適宜箇所には、複数台の端末装置、例えば会議マイクユニット５，５，…が配置される。
【０００３】
この構成において、例えば或る会議マイクユニット５を用いて発言が成されると、その発言内容を含む上りＦＭ（Frequency Modulation）信号が生成される。会議マイクユニット５は、この上りＦＭ信号の供給により発光する図示しない赤外線発光ダイオードを有しており、この赤外線発光ダイオードから発射された赤外線は、多チャンネル受発光ユニット１に入射される。
【０００４】
多チャンネル受発光ユニット１は、入射された赤外線を受光するための図示しない受光回路を有しており、この受光回路によって受光された赤外線は、電気信号に変換され、これによって上りＦＭ信号が再現される。そして、再現された上りＦＭ信号は、一方の同軸ケーブル２を介してマスタコントロールユニット４に送信される。
【０００５】
マスタコントロールユニット４内においては、同軸ケーブル２を介して受信された上りＦＭ信号に対し復調処理が施される。そして、この復調処理後の信号は、マスタコントロールユニット４に接続された図示しないスピーカに入力され、これによって、上述の発言内容が再生される。さらに、当該復調処理後の信号に基づいて、上りＦＭ信号とは異なる周波数帯域の下りＦＭ信号が生成される。そして、この下りＦＭ信号は、他方の同軸ケーブル３を介して多チャンネル受発光ユニット１に送信される。
【０００６】
多チャンネル受発光ユニット１は、図示しない赤外線発光ダイオードを有しており、この赤外線発光ダイオードは、上述の同軸ケーブル３を介して受信された下りＦＭ信号の供給によって発光する。そして、この赤外線発光ダイオードから発射された赤外線は、各会議マイクユニット５，５，…に入射される。
【０００７】
それぞれの会議マイクユニット５は、入射された赤外線を受光するための図示しない受光回路を有しており、この受光回路によって受光された赤外線は、電気信号に変換され、これによって下りＦＭ信号が再現される。そして、再現された下りＦＭ信号に対して復調処理が施され、この復調処理後の信号は、当該会議マイクユニット５に内蔵された図示しないモニタ用スピーカに入力される。これにより、上述の発言内容が再生され、言わばモニタされる。
【０００８】
なお、従来技術においては、最大で４台の会議マイクユニット５，５，…によって同時に発言可能とされている。つまり、各会議マイクユニット５，５，…から多チャンネル受発光ユニット１を経てマスタコントロールユニット４に至る言わば上り音声チャンネルとして、４つのチャンネルが用意されている。一方、マスタコントロールユニット４から多チャンネル受発光ユニット１を経て各会議マイクユニット５，５，…に至る言わば下り音声チャンネルとしては、２つのチャンネルが用意されている。このうちの１つは、主音声用のチャンネルであり、例えば上述の如くモニタ用の発言内容（下りＦＭ信号）を伝送させるのに用いられる。そして、他の１つは、副音声用のチャンネルであり、例えば当該発言内容を同時通訳した言わば同時通訳音を伝送させるのに用いられる。各会議マイクユニット５，５，…には、これら主音声用チャンネルおよび副音声用チャンネルのいずれか一方を任意に選択するための図示しないチャンネル選択スイッチが設けられており、このチャンネル選択スイッチによって選択されたチャンネルの音声（発言内容または同時通訳音）のみがモニタ用スピーカから再生される。また、これらの音声チャンネルの他に、制御用のチャンネルも１チャンネル設けられている。
【非特許文献１】株式会社オーディオテクニカ製ＩＲカンファレンス・システム“ＡＴＣＳ−５０”製品説明書、［ｏｎｌｉｎｅ］、［平成１６年３月２３日検索］、インターネット＜URL;http://www.audio-technica.co.jp/proaudio/infrared/atcs-50/ATCS-50.html＞
【発明の開示】
【発明が解決しようとする課題】
【０００９】
しかし、上述の従来技術では、多チャンネル受発光ユニット１とマスタコントロールユニット４とが２本の同軸ケーブル２および３によって接続されている、換言すれば上り専用の同軸ケーブル２と下り専用の同軸ケーブル３とが別個に設けられているので、その分、システム全体が複雑化し、かつ高コスト化する、という問題がある。この問題は、同軸ケーブル２および３が長くなるほど、顕著になる。
【００１０】
また、上述の如く下りの音声チャンネルが複数（２つ）用意されており、これら複数の音声チャンネルを用いて同時に通信が行われた場合、相互変調積の影響によって、多チャンネル受発光ユニット１による各会議マイクユニット５，５，…からの赤外線の受光感度が低下する、という問題がある。即ち、多チャンネル受発光ユニット１が有する赤外線発光ダイオードは、これに供給される順方向電圧の値に対してその発光出力値が比例しない、いわゆる非線形素子である。従って、かかる赤外線発光ダイオードに対して互いに周波数帯域の異なる複数の下りＦＭ信号が供給されると、つまり当該複数のＦＭ信号によって輝度変調が掛けられると、これら複数の周波数帯域に応じた相互変調積が発生する。その一方で、多チャンネル受発光ユニット１は、各会議マイクユニット５，５，…から送られてくる比較的に微弱な赤外線を受光するという機能をも担っている。従って、この微弱な赤外線に含まれる上りＦＭ信号と同じ周波数帯域に、上述の相互変調積が発生すると、当該相互変調積が雑音となり、その結果、多チャンネル受発光ユニット１による赤外線の受光感度が低下する。この問題は、赤外線発光ダイオードと当該微弱な赤外線を受光するための受光回路との間の距離が短いほど、顕著になる。
【００１１】
そこで、この発明は、ケーブル等の伝送線路を簡素化しかつ低コスト化すると共に、従来よりも受光感度の高い赤外線通信装置を提供することを、目的とする。
【課題を解決するための手段】
【００１２】
この発明の赤外線通信装置は、互いに混合された状態で１本の伝送線路を介して送られてくる互いに異なる周波数帯域の複数の第１信号を受信する受信手段と、赤外線発光ダイオードを備えており受信手段によって受信された複数の第１信号に基づいて当該赤外線発光ダイオードを発光させる発光手段と、第１信号の周波数帯域とはさらに異なる特定の周波数帯域の第２信号に基づいて生成された赤外線を受光して当該第２信号を再現する受光手段と、この受光手段によって再現された第２信号を伝送線路に送り込む送信手段と、を具備する。かかる構成において、赤外線発光ダイオードは、順方向電流値に対する発光出力値が略比例する特性を有する。そして、発光手段は、複数の第１信号の大きさに応じた値の電流を赤外線発光ダイオードに対し順方向に流し込むことによって当該赤外線発光ダイオードを発光させる、ものである。
【００１３】
この発明では、１本の伝送線路を介して、互いに周波数帯域の異なる複数の第１信号が、互いに混合された状態で、伝送される。これら複数の第１信号は、受信手段によって受信され、この受信手段によって受信された当該複数の第１信号は、発光手段に与えられる。発光手段は、赤外線発光ダイオードを備えており、受信手段から与えられた複数の第１信号に基づいて当該赤外線発光ダイオードを発光させる。これによって、赤外線発光ダイオードから、複数の第１信号に基づく赤外線が発射される。一方、これらの第１信号の周波数帯域とは異なる特定の周波数帯域の第２信号に基づいて生成された赤外線が、受光手段によって受光される。受光手段は、受光した赤外線から当該第２信号を再現し、再現された第２信号は、送信手段によって上述の伝送線路に送り込まれる。つまり、赤外線を発射させるための複数の第１信号と、受光された赤外線から再現された第２信号とは、互いに共通の１本の伝送線路を介して伝送される。
【００１４】
さらに、赤外線発光ダイオードは、順方向に流れる電流の値に対して発光出力値が略比例する特性、つまり線形の特性を有している。そして、かかる赤外線発光ダイオードに対して、発光手段は、複数の第１信号の大きさに応じた値の電流を順方向に流し込み、これによって当該赤外線発光ダイオードを発光させる。このようにすれば、赤外線発光ダイオードを線形素子として動作させることができ、上述した相互変調積の発生を防止できる。
【００１５】
なお、複数の第１信号のそれぞれは、周波数変調されたいわゆるＦＭ信号とするのが、望ましい。これと同様に、第２信号もまた、ＦＭ信号とするのが、望ましい。
【００１６】
さらに、発光手段は、複数の第１信号を電流に変換する変換手段と、この変換手段によって変換された電流を赤外線発光ダイオードに流し込む電流供給手段と、を備えるものであってもよい。
【００１７】
そして、受光手段は、赤外線発光ダイオードの近傍に設けてもよい。即ち、上述のように赤外線発光ダイオードから発射される赤外線によって相互変調積は生じないので、当該赤外線発光ダイオードの近傍に受光手段を設けても、当該受光手段による受光感度は低下しない。また、このように赤外線発光ダイオードの近傍に受光手段を設けられるということは、装置全体を小型化する上で好都合である。
【００１８】
そしてさらに、受信手段によって受信された複数の第１信号の大きさ、例えば信号レベルを検出する検出手段と、この検出手段による検出結果に基づいて当該複数の第１信号を所定の信号レベルとなるように調整する第１調整手段と、を設けることによって、次のような不都合を解消してもよい。
【００１９】
即ち、上述した伝送線路が長いほど、当該伝送線路を介して伝送される複数の第１信号の信号レベルは大きく減衰する。また、伝送線路の途中に混合分配器等の何らかの信号減衰手段が存在する場合にも、当該複数の第１信号の信号レベルは減衰する。つまり、伝送線路の長さ、および当該伝送線路の途中に何らかの信号減衰手段が存在するか否かによって、受信手段によって受信される複数の第１信号の信号レベルに差異が生じる。従って、例えば単に当該受信手段によって受信された複数の第１信号に基づいて赤外線発光ダイオードが発光されるとすると、その発光出力値（発光エネルギ）もまた、伝送線路の長さおよび信号減衰手段の有無によって変化することになる。換言すれば、赤外線発光ダイオードを高効率で発光させることができない場合がある、という不都合が生じる。そこで、かかる不都合を解消するべく、受信手段により受信された複数の第１信号の信号レベルが、検出手段によって検出される。そして、この検出手段による検出結果に基づいて、複数の第１信号の信号レベルが所定レベルとなるように、例えば赤外線発光ダイオードを高効率で発光させるのに適切なレベルとなるように、第１調整手段によって当該複数の第１信号の信号レベルが調整される。このようにすれば、伝送線路の長さおよび信号減衰手段の有無に関係なく、常に赤外線発光ダイオードを高効率で発光させることができる。
【００２０】
これと同様に、検出手段による検出結果に基づいて第２信号の大きさを調整する第２調整手段を、設けてもよい。
【００２１】
即ち、伝送線路に送り込まれる第２信号についても、上述の第１信号と同様に、当該伝送線路の長さおよび信号減衰手段の有無によってその信号レベルが変化する。つまり、第２信号の受信側において、当該第２信号の受信レベルが変化する。そこで、当該受信側での受信レベルを一定とするべく、第２調整手段を設けるのが、望ましい。つまり、第２調整手段は、検出手段による検出結果に基づいて、第２信号の信号レベルを調整する。これによって、伝送線路の長さおよび信号減衰手段の有無に関係なく、第２信号の受信側における当該第２信号の受信レベルが一定となる。
【発明の効果】
【００２２】
この発明によれば、赤外線を発射させるための複数の第１信号と、受光された赤外線から再現された第２信号とは、互いに共通の１本の伝送線路を介して伝送される。従って、上り専用の同軸ケーブル２と下り専用の同軸ケーブル３とが別個に設けられる上述の従来技術に比べて、当該伝送線路を簡素化しかつ低コスト化することができる。また、赤外線発光ダイオードから発射される赤外線によって相互変調積が生じることがないので、従来技術とは異なり、当該相互変調積の影響による受光感度の低下も生じない。つまり、伝送線路を簡素化しかつ低コスト化しつつ、従来よりも高い受信感度を得ることができる。
【発明を実施するための最良の形態】
【００２３】
この発明が適用された赤外線会議システムの一実施形態について、図１から図９を参照して説明する。
【００２４】
図１に示すように、この実施形態の赤外線会議システム１０は、主装置としての１台のセンタ装置１２と、赤外線通信装置としての複数台の送受光装置１４，１４，…と、それぞれ個別の識別番号が付与された複数台の端末装置１６，１６，…とを、備えている。このうち、センタ装置１２は、例えば会議室の隅に設置され、各送受光装置１４，１４，…は、同会議室の天井または壁面に取り付けられる。そして、各端末装置１６，１６，…は、同会議室の適宜位置、例えばテーブル上に、配置される。
【００２５】
センタ装置１２は、複数、例えば４つの入出力端子１８，１８，…を有しており、これら４つの入出力端子１８，１８，…のそれぞれに、送受光装置１４が接続可能とされている。具体的には、図１において１番上に示される入出力端子１８のように、伝送線路としての１本の同軸ケーブル２０を介して、当該入出力端子１８に１台の送受光装置１４を接続することができる。また、図１において上から２番目に示される入出力端子１８のように、１台の混合分配器２２を用いることで、当該入出力端子１８に対して複数台、例えば最大で４台の送受光装置１４，１４，…を接続することができる。さらに、図１において上から３番目に示される入出力端子１８のように、複数台（図１では２台）の混合分配器２２，２２，…を用いることで、当該入出力端子１８に対してより多くの（５台以上の）送受光装置１４，１４，…を接続することもできる。そして、図１において１番下に示される入出力端子１８のように、送受信装置１４が接続されない端子（空き端子）が存在してもよい。
【００２６】
なお、混合分配器２２は、１つの１次端子２４と４つの２次端子２６，２６，…とを備えており、１次端子２４から入力された信号を各２次端子２６，２６，…に分配し、または各２次端子２６，２６，…から入力された信号を混合して１次端子２４から出力させるものである。このため、１次端子２４は、同軸ケーブル２０を介してセンタ装置１２の入出力端子１８に接続され、または別の混合分配器２２の２次端子２６に接続される。そして、それぞれの２次端子２６は、同軸ケーブル２０を介して送受光装置１４に接続され、または別の混合分配器２２の１次端子２４に接続される。なお、何ら接続されない２次端子２６が存在してもよい。かかる混合分配器２２は、例えば天井裏や壁裏に設置される。
【００２７】
ここで、この赤外線会議システム１０の全体の動作について簡単に説明する。例えば、今、或る端末装置１６によって発言要求が成されたとする。この発言要求は、当該端末装置１６に設けられた図示しない発言要求スイッチの操作によって行われる。すると、当該端末装置１６内において、発言要求が成されたことおよび当該発言要求の要求元（識別番号）を表す上り制御データが生成され、さらにこの上り制御データに基づいて所定周波数帯域の制御用の上りＦＭ信号が生成される。端末装置１６は、図示しない赤外線発光ダイオードを有しており、当該制御用上りＦＭ信号に基づいてこの赤外線発光ダイオードを発光させる。これによって、赤外線発光ダイオード（端末装置１６）から、例えば波長が８７０［ｎｍ］の赤外線が発射される。
【００２８】
上述の端末装置１６から発射された赤外線は、当該端末装置１６の近傍にある送受光装置１４に入射される。送受光装置１４は、入射された赤外線を受光するための受光手段としての後述する受光回路１４０を有しており、この受光回路１４０によって受光された赤外線は、電気信号に変換される。これによって、上述の制御用上りＦＭ信号が再現される。再現された制御用上りＦＭ信号は、同軸ケーブル２０を介して、またはこれに加えて１台以上の混合分配器２２を介して、センタ装置１２に送信される。
【００２９】
センタ装置１２は、送受光装置１４から送られてきた制御用上りＦＭ信号を受信して、この受信した制御用上りＦＭ信号に対して復調処理を施し、上り制御データを抽出する。そして、抽出した上り制御データの内容を解析し、いずれかの端末装置１６から発言要求が成されたこと、および当該発言要求の要求元である端末装置１６を、認識する。そして、この要求元である端末装置１６に対して発言を許可する旨の下り制御データを生成し、さらに、この下り制御データに基づいて上述の制御用上りＦＭ信号とは異なる周波数帯域の制御用の下りＦＭ信号を生成する。この制御用下りＦＭ信号は、同軸ケーブル２０を介して、または１台以上の混合分配器２２をも介して、全ての送受光装置１４，１４，…に送信される。
【００３０】
各送受光装置１４，１４，…のそれぞれは、後述する赤外線発光ダイオード１４２，１４２，…を有しており、これらの発光ダイオード１４２，１４２，…は、センタ装置１２から送られてきた制御用下りＦＭ信号に基づいて発光する。これによって、全ての送受光装置１４，１４，…（赤外線発光ダイオード１４２，１４２，…）から、例えば波長が８７０［ｎｍ］の赤外線が発射される。そして、この赤外線は、各端末装置１６，１６，…に入射される。
【００３１】
各端末装置１６，１６，…のそれぞれは、入射された赤外線を受光するための図示しない受光回路を有しており、この受光回路によって受光された赤外線は、電気信号に変換される。これによって、制御用下りＦＭ信号が再現される。そして、それぞれの端末装置１６においては、当該再現された制御用下りＦＭ信号に対して復調処理が施され、これによって下り制御データが抽出される。さらに、抽出された下り制御データが自身宛に送られてきたものであるか否か、例えば当該下り制御データによって表される識別番号が自身の識別番号と一致するか否かが、判断される。そして、自身宛に送られてきた下り制御データを受信した端末装置１６のみが発言を許され、言わば有効化される。
【００３２】
このように有効化された端末装置１６を用いて発言が成されると、その発言内容を含む上りＦＭ信号が生成される。なお、この上りＦＭ信号は、上述の制御用上りＦＭ信号とは異なる周波数帯域の信号であって、その周波数帯域は、上述の下り制御データによって指定される。そして、この上りＦＭ信号に基づいて上述の赤外線発光ダイオードが発光され、これによって当該赤外線発光ダイオードから赤外線が発射される。
【００３３】
この赤外線は、発言元の端末装置１６の近傍にある送受光装置１４に入射される。そして、入射された赤外線は、受光回路１４０によって受光され、上りＦＭ信号に変換される。そして、変換された上りＦＭ信号は、上述の制御用上りＦＭ信号と同じ伝送経路を介して、センタ装置１２に送信される。
【００３４】
センタ装置１２は、送受光装置１４から送られてきた上りＦＭ信号を受信して、この受信した上りＦＭ信号に対して復調処理を施す。そして、この復調処理後の信号（音声信号）は、センタ装置１２に接続された図示しないスピーカに入力され、これによって上述の発言内容が再生される。さらに、センタ装置１２は、復調処理後の信号に基づいて、下りＦＭ信号を生成する。この下りＦＭ信号は、上述の制御用下りＦＭ信号と同様に、全ての送受光装置１４，１４，…に送信される。
【００３５】
各送受光装置１４，１４，…のそれぞれにおいては、センタ装置１２から送られてきた下りＦＭ信号に基づいて発光ダイオード１４２，１４２，…が発光する。これによって、全ての送受光装置１４，１４，…（赤外線発光ダイオード１４２，１４２，…）から、下りＦＭ信号に基づく赤外線が発射される。そして、この赤外線は、各端末装置１６，１６，…によって受光される。
【００３６】
各端末装置１６，１６，…のそれぞれにおいては、入射された赤外線が上述の受光回路によって受光され、下りＦＭ信号に変換される。そして、この下りＦＭ信号に対して復調処理が施され、この復調処理後の信号（音声信号）は、当該端末装置１６に内蔵された図示しないモニタ用スピーカに入力される。この結果、全ての端末装置１６，１６，…において、発言元の端末装置１６による発言内容が再生され、言わばモニタされる。
【００３７】
ところで、この実施形態においては、最大で４台の端末装置１６，１６，…によって同時に発言可能とされている。つまり、各端末装置１６，１６，…から送受光装置１４，１４，…を経てセンタ装置１２に至る言わば上り音声チャンネルとして、４つのチャンネルが用意されている。具体的には、図２に示すように、当該上り音声チャンネルとして、ＣＨ１，ＣＨ２，ＣＨ３およびＣＨ４という４つのチャンネルが用意されており、それぞれの中心周波数（搬送波の周波数）は、７．３５［ＭＨｚ］，８．１０［ＭＨｚ］，８．５５［ＭＨｚ］および９．１５［ＭＨｚ］とされている。また、これら４つの上り音声チャンネルＣＨ１，ＣＨ２，ＣＨ３およびＣＨ４の他に、中心周波数が６．４５［ＭＨｚ］の制御用チャンネルＣＨ０も用意されている。この制御用チャンネルは、上述の上り制御データを伝送させるのに使用される。
【００３８】
一方、センタ装置１２から送受光装置１４，１４，…を経て各端末装置１６，１６，…に至る言わば下り音声チャンネルとしては、２つのチャンネルが用意されている。具体的には、図２に示すように、中心周波数が１．９５［ＭＨｚ］のチャンネルＣＨ１と、中心周波数が２．２５［ＭＨｚ］のチャンネルＣＨ２とが、用意されている。このうちチャンネルＣＨ１は、主音声用のチャンネルであり、例えば上述の如くモニタ用の発言内容（下りＦＭ信号）を伝送させるのに用いられる。そして、チャンネルＣＨ２は、副音声用のチャンネルであり、例えば当該発言内容を同時通訳した言わば同時通訳音を伝送させるのに用いられる。
【００３９】
具体的には、同時通訳音は、例えばセンタ装置１２に接続された図示しないマイクロホンから入力される。そして、この同時通訳音（音声信号）に基づいて副音声チャンネルＣＨ２の下りＦＭ信号が生成され、この下りＦＭ信号は、主音声チャンネルＣＨ１の下りＦＭ信号（モニタ用の発言内容）と混合された状態で、各送受光装置１４，１４，…に送信される。そして、各送受光装置１４，１４，…から当該２つのチャンネルＣＨ１およびＣＨ２の信号が合成された合成信号に基づく赤外線が発射され、この赤外線は、各端末装置１６，１６，…に入射される。各端末装置１６，１６，…には、これら主音声チャンネルＣＨ１および副音声チャンネルＣＨ２のいずれか一方を任意に選択するための図示しないチャンネル選択スイッチが設けられており、このチャンネル選択スイッチによって選択されたチャンネルＣＨ１またはＣＨ２の音声（発言内容または同時通訳音）のみがモニタ用スピーカから再生される。
【００４０】
なお、上述の下り制御データは、ＦＳＫ（Frequency Shift Keying）処理を施された後、主音声チャンネルＣＨ１にサブキャリアとして重畳された状態で、伝送される。また、副音声チャンネルＣＨ２についても、任意の制御データをサブキャリアとして重畳させることができる。
【００４１】
このように、この実施形態においては、センタ装置１２とそれぞれの送受光装置１４とが１本の同軸ケーブル２０を介して（または混合分配器２２をも介して）互いに接続されており、この１本の同軸ケーブル２０を介して複数チャンネルＣＨ０〜ＣＨ５の上りＦＭ信号と複数チャンネルＣＨ１およびＣＨ２の下りＦＭ信号とが伝送される。また、この同軸ケーブル２０を介して、センタ装置１２からそれぞれの送受光装置１４に対し、当該送受光装置１４の駆動電源としての直流電力も供給される。このため、センタ装置１２は、次のように構成されている。
【００４２】
即ち、図３に示すように、センタ装置１２は、混合分配回路１２０を有しており、この混合分配回路１２０の２次側（図３において右側）に、それぞれ個別の直流カット用のコンデンサ１２２，１２２，…を介して各入出力端子１８，１８，…が接続されている。そして、混合分配回路１２０の１次側（図３において左側）には、ローパスフィルタ（ＬＰＦ）１２４を介して送信回路１２６が接続されている。また、当該１次側には、ハイパスフィルタ（ＨＰＦ）１２８を介して受信回路１２８も接続されている。なお、ローパスフィルタ１２８のカットオフ周波数は、下りチャンネルＣＨ１およびＣＨ２の上限周波数（２．２５［ＭＨｚ］に所定の帯域幅を加味した周波数）よりも高く、かつ上りチャンネルＣＨ０〜ＣＨ４の下限周波数（６．４５［ＭＨｚ］に所定の帯域幅を加味した周波数）よりも低い値に設定され、例えば２．３９［ＭＨｚ］とされている。一方、ハイパスフィルタ１２８のカットオフ周波数は、ローパスフィルタ１２８のカットオフ周波数よりも高く、かつ上りチャンネルＣＨ０〜ＣＨ４の下限周波数よりも低い値に設定され、例えば６．６３［ＭＨｚ］とされている。
【００４３】
さらに、センタ装置１２は、各送受光装置１４，１４，…の駆動電源としての上述した直流電力を生成する電源回路１３２を有しており、この電源回路１３２から出力された例えば＋２４［Ｖ］の直流電力は、それぞれ個別のローパスフィルタ１３４，１３４，…を介して各入出力端子１８，１８，…に供給される。なお、これらのローパスフィルタ１３４，１３４，…は、交流カット用のものであり、そのカットオフ周波数は、数［Ｈｚ］〜十数［Ｈｚ］程度である。
【００４４】
このように構成されたセンタ装置１２によれば、各送受光装置１４，１２，…から送られてきた上りＦＭ信号は、それぞれの入出力端子１８，１８，…を介して当該センタ装置１２内に入力される。そして、これらの上りＦＭ信号は、個別の直流カット用コンデンサ１２２，１２２，…を介して混合分配回路１２０の２次側に入力され、当該混合分配回路１２０内において互いに混合される。そして、混合されたＦＭ信号は、混合分配回路１２０の１次側から出力され、ハイパスフィルタ１２８を介して受信回路１３０に入力される。受信回路１３０は、入力された混合ＦＭ信号に対して上述の復号処理を施す。そして、この復号処理後の信号は、図示しない後段の回路へと送られる。
【００４５】
一方、下りＦＭ信号は、送信回路１２６によって生成される。そして、この下りＦＭ信号は、ローパスフィルタ１２４を介して混合分配回路１２０の１次側に入力され、当該混合分配回路１２０内において４つに分配される。分配された下りＦＭ信号は、混合分配回路１２０の２次側から出力され、個別の直流カットコンデンサ１２２，１２２，…を介して各入出力端子１８，１８，…へと送られる。そして、それぞれの入出力端子１８から、同軸ケーブル２０を介して、または混合分配器２２をも介して、各送受光装置１４，１４，…へと送信される。なお、各送受光装置１４，１４、…には、当該下りＦＭ信号に重畳された状態で、上述の直流電源も送られる。
【００４６】
混合分配器２２は、図４に示すように、混合分配回路２２０を有しており、この混合分配回路２２０の１次側（図４において左側）に、直流カット用のコンデンサ２２２を介して１次端子２４が接続されている。そして、この混合分配回路２２０の２次側（図４において右側）は、それぞれ個別の直流カット用コンデンサ２２４，２２４，…を介して各２次端子２６，２６，…に接続されている。さらに、１次端子２４は、交流カット用のローパスフィルタ２２６と、各２次端子２６，２６，…に対応して設けられたローパスフィルタ２２８，２２８，…とを介して、当該各２次端子２６，２６，…に接続されている。なお、それぞれのローパスフィルタ２２６および２２８のカットオフ周波数は、数［Ｈｚ］〜十数［Ｈｚ］程度である。
【００４７】
このように構成された混合分配器２２によれば、１次端子２４から入力された下りＦＭ信号は、直流カットコンデンサ２２２を介して混合分配回路２２０の１次側に入力され、当該混合分配回路２２０内において４つに分配される。そして、分配された下りＦＭ信号は、混合分配回路２２０の２次側から出力され、個別の直流カットコンデンサ２２４，２２４，…を介して各２次端子２６，２６，…から出力される。さらに、当該下りＦＭ信号に重畳された状態で１次端子２４から入力された直流電力は、ローパスフィルタ２２６および個別のローパスフィルタ２２８，２８８，…を介して各２次端子２６，２６，…から出力される。
【００４８】
一方、各２次端子２６，２６，…から入力された上りＦＭ信号は、個別の直流カットコンデンサ２２４，２２４，…を介して混合分配回路２２０の２次側に入力され、当該混合分配回路２２０内において互いに混合される。そして、混合されたＦＭ信号は、混合分配回路１２０の１次側から出力され、直流カットコンデンサ２２を介して１次端子２４から出力される。
【００４９】
そして、それぞれの送受光装置１４は、次のように構成されている。即ち、図５に示すように、送受光装置１４は、同軸ケーブル２０が接続される端子１４４を備えており、この端子１４４を介して、上述の下りＦＭ信号および直流電力が当該送受光装置１４内に入力される。また、当該端子１４４を介して、上りＦＭ信号が同軸ケーブル２０へと出力される。
【００５０】
このうち、端子１１４から入力された直流電力は、電源回路１４６に入力される。電源回路１４６は、入力された直流電力を基に、当該送受光装置１４内の各回路を駆動させるための後述する電源電圧Ｖｃｃ１，Ｖｃｃ２，…を生成する。
【００５１】
一方、端子１４４から入力された下りＦＭ信号は、直流カットコンデンサ１４８を介して受信手段としてのローパスフィルタ１５０に入力される。このローパスフィルタ１５０のカットオフ周波数は、当該下りＦＭ信号（下りチャンネルＣＨ１およびＣＨ２）の上限周波数よりも高く、かつ上りＦＭ信号（上りチャンネルＣＨ０〜ＣＨ４）の下限周波数よりも低い値に設定されており、例えば２．３９［ＭＨｚ］とされている。従って、このローパスフィルタ１５０に入力された下りＦＭ信号は、当該ローパスフィルタ１５０を通過し、さらに、抵抗器１５２、直流カット用の２つのコンデンサ１５４および１５６を介して、増幅回路１５８に入力される。増幅回路１５８は、入力された下りＦＭ信号を所定の増幅率で増幅し、増幅後の下りＦＭ信号は、発光手段としての送光回路１６０に入力される。
【００５２】
送光回路１６０は、図６に示すように、直列に接続された上述の赤外線発光ダイオード１４２，１４２，…を有している。これらの赤外線発光ダイオード１４２，１４２，…は、様々な方向に赤外線を発射させるべく、互いに異なる向きに配置されている。そして、これらの赤外線発光ダイオード１４２，１４２，…に対して、上述の下りＦＭ信号の信号レベルに応じた大きさの電流Ｉｄを流し込むことによって、当該各赤外線発光ダイオード１４２，１４２，…を発光させるべく、電圧電流変換回路１４４が設けられている。
【００５３】
即ち、電圧電流変換回路１４４は、オペアンプ１６４とＮチャネル型のＦＥＴ（Field Effect Transistor）１６６と抵抗器１６８とから成る。このうちのオペアンプ１６４の非反転入力端子に、増幅回路１５８による増幅後のＦＭ信号が入力される。そして、このオペアンプ１６４の出力端子は、ＦＥＴ１６６のゲート端子に接続され、当該オペアンプ１６４の反転入力端子は、同ＦＥＴ１６６のソース端子に接続されている。また、このソース端子は、抵抗器１６８を介して接地電位（ＧＮＤ）に接続されている。そして、ＦＥＴ１６６のドレイン端子に、赤外線発光ダイオード１４２，１４２，…の直列回路のカソード側が接続され、当該赤外線発光ダイオード１４２，１４２，…の直列回路のアノード側に上述した直流電圧Ｖｃｃ１の電源ラインが印加される。
【００５４】
この構成によれば、オペアンプ１６４の非反転入力端子に入力されるＦＭ信号の信号レベルに応じた電流Ｉｄが、各赤外線発光ダイオード１４２，１４２，…に順方向に流れる。そして、この電流Ｉｄが流れることによって、各赤外線発光ダイオード１４２，１４２，…は発光し、言わば輝度変調を掛けられる。これによって、各赤外線発光ダイオード１４２，１４２，…から下りＦＭ信号に基づく赤外線が発射される。
【００５５】
なお、各赤外線発光ダイオード１４２，１４２，…は、順方向電圧に対して発光出力が比例しない、いわゆる非線形素子であるが、図７に示すように、順方向電流Ｉｄに対しては、当該発光出力は比例し、いわゆる線形の特性を有する。従って、図６に示すように、ＦＭ信号を電圧電流変換回路１６２によって電流Ｉｄに変換し、この変換された電流Ｉｄによって各赤外線発光ダイオード１４２，１４２，…を発光させることによって、上述の相互変調積の発生を防止することができる。
【００５６】
図５に戻って、送受光装置１４は、各（近傍の）端末装置１６，１６，…から発射された赤外線を受光するべく、上述した受光回路１４０を有している。具体的には、受光回路１４０は、当該赤外線を受光するための図示しない複数のフォトトランジスタを内蔵しており、これらのフォトトランジスタは、様々な方向から送られてくる赤外線を受光するべく、互いに異なる向きに配置されている。また、送受光装置１４の小型化を図るために、当該フォトトランジスタは、赤外線発光ダイオード１４２，１４２，…と比較的に近い位置に設けられている。
【００５７】
受光回路１４０によって受光された赤外線は、上りＦＭ信号に変換され、変換された上りＦＭ信号は、抵抗器１７０、２つの直流カット用コンデンサ１７２および１７４を介して増幅回路１７６に入力される。増幅回路１７６は、入力された上りＦＭ信号を所定の増幅率で増幅し、増幅後の上りＦＭ信号は、送信手段としてのハイパスフィルタ１７８に入力される。このハイパスフィルタ１７８のカットオフ周波数は、上述したローパスフィルタ１５０のカットオフ周波数よりも高く、かつ当該上りＦＭ信号（上りチャンネルＣＨ０〜ＣＨ４）の下限周波数よりも低い値に設定されており、例えば６．６３［ＭＨｚ］とされている。従って、このハイパスフィルタ１７８に入力された上りＦＭ信号は、当該ハイパスフィルタ１７８を通過し、さらに直流カットコンデンサ１４８を介して端子１４４へと送られる。
【００５８】
なお、上述の図１に示すように、送受光装置１４によっては、同軸ケーブル２０を介してセンタ装置１２（入出力端子１８）に直接接続されるものもあれば、混合分配器２２を介して当該センタ装置１２に接続されるものもある。また、センタ装置１２との間に複数台の当該混合分配器２２，２２，…が介在するものもある。この混合分配器２２は、図４に示すように、混合分配回路２２０を有しており、この混合分配回路２２０は、信号の混合および分配を実現するべくコイル等のインピーダンス部品を含んでいる。そして、このコイル等のインピーダンス部品は、混合または分配の対象となる信号にとってそのレベルを減衰させる要因、言わば信号減衰手段となる。従って、混合分配器２２が介在しているか否かによって、さらには当該混合分配器２２が何台介在しているのかによって、例えば各送受光装置１４，１４，…に入力される下りＦＭ信号の信号レベル（受信レベル）に差異が生じる。同様に、センタ装置１２側においても、各送受光装置１４，１４，…から送られてくる上りＦＭ信号の信号レベルに差異が生じる。そこで、この実施形態では、かかる信号レベルの差異を解消するべく、それぞれの送受信装置１４に次のような工夫が成されている。
【００５９】
即ち、図５に点線の矢印１８０で示すように、所定の直流電圧Ｖｃｃ２の電源ラインから、コイル１８２→ＰＩＮダイオード１８４→コイル１８６→コイル１８８→ＰＩＮダイオード１９０→コイル１９２→電流制御回路１９４→接地電位の順に、直流電流Ｉｃが流れる回路が、形成されている。なお、ＰＩＮダイオード１８４のカソード端子は、言わば下り経路側の上述した２つの直流カットコンデンサ１５４および１５６の相互接続点に接続されている。そして、ＰＩＮダイオード１９０のカソード端子は、言わば上り経路側の２つの直流カットコンデンサ１７２および１７４の相互接続点に接続されている。
【００６０】
さらに、電源ラインＶｃｃ２とコイル１８２との接続点と、接地電位との間には、コンデンサ１９６が接続されており、このコンデンサ１９６と当該コイル１８２とによって、下りＦＭ信号が電源ラインＶｃｃ２に流入するのを阻止するための交流阻止回路が形成されている。また、コイル１８２とＰＩＮダイオード１８４のアノード端子との接続点と、接地電位との間には、コンデンサ１９８が接続されている。つまり、ＰＩＮダイオード１８４のアノード端子は、交流的には接地電位に接続されている。ここで、ＰＩＮダイオード１８４は、図８に示すように、自身に流れる順方向電流Ｉｃに対して略反比例する抵抗値を示す。具体的には、順方向電流Ｉｃが１０［μＡ］〜１０［ｍＡ］の範囲で変化すると、当該ＰＩＮダイオード１８４の抵抗値は、概ね１．５［ｋΩ］〜２．５［Ω］の範囲で変化する。従って、上述したローパスフィルタ１５０から出力される下りＦＭ信号は、抵抗器１５２とＰＩＮダイオード１８４とによって分圧され、この分圧された下りＦＭ信号が増幅回路１５８に入力されることになる。つまり、抵抗器１５２とＰＩＮダイオード１８４とによって、減衰率が可変のアッテネータ回路が形成される。なお、抵抗器１５２の抵抗値は、例えば１５０［Ω］とされている。
【００６１】
そして、コイル１８６とコイル１８８との接続点と、接地電位との間には、コンデンサ２００が接続されており、これらコンデンサ２００と２つのコイル１８６および１８８とによって、下りＦＭ信号と上りＦＭ信号とが互いに混合するのを阻止するための交流阻止回路が形成されている。さらに、コイル１８８とＰＩＮダイオード１９０のアノード端子との接続点と、接地電位との間には、コンデンサ２０２が接続されている。つまり、ＰＩＮダイオード１９０のアノード端子は、交流的には接地電位に接続されている。なお、このＰＩＮダイオード１９０は、上述のＰＩＮダイオード１８４と同規格のものであり、つまり図８に示す順方向電流対抵抗特性を有する。従って、上述した受光回路１４０から出力される上りＦＭ信号は、抵抗器１７０とＰＩＮダイオード１９０とによって分圧され、この分圧された上りＦＭ信号が増幅回路１７６に入力されることになる。つまり、抵抗器１７０とＰＩＮダイオード１９０とによって、減衰率が可変のアッテネータ回路が形成される。なお、抵抗器１７０もまた、上述の抵抗器１５２と同じ１５０［Ω］のものである。
【００６２】
また、コイル１９２と電流制御回路１９４との接続点と、接地電位との間には、コンデンサ２０４が接続されており、このコンデンサ２０４とコイル１９２とによって上りＦＭ信号が電流制御回路１９４に流入するのを阻止するための交流阻止回路が形成されている。電流制御回路１９４は、下りＦＭ信号の信号レベル（受信レベル）に応じて上述の電流Ｉｃを制御するためのものであり、具体的には整流回路２０６から与えられる直流信号Ｖａに従って当該電流Ｉｃを制御する。
【００６３】
なお、整流回路２０６には、増幅回路１５８によって増幅された下りＦＭ信号が、直流カットコンデンサ２０８を介して入力される。整流回路２０６は、入力された下りＦＭ信号を整流して、当該下りＦＭ信号の受信レベルに応じた電圧値の上述の直流信号Ｖａに変換する。
【００６４】
電流制御回路１９４は、図９に示すように、上述の直流信号Ｖａを分圧するための２つの抵抗器２１０および２１２を有しており、これらの抵抗器２１０および２１２によって分圧された信号は、ＮＰＮ型のトランジスタ２１４のベース端子に入力される。そして、このトランジスタ２１４のコレクタ端子に、上述したコイル１９２が接続される。なお、トランジスタ２１４のエミッタ端子は、接地電位に接続されている。
【００６５】
この構成によれば、下りＦＭ信号の受信レベルが大きいほど、電流Ｉｃは大きくなる。そして、この電流Ｉｃが大きくなることによって、ＰＩＮダイオード１８４の抵抗値が小さくなり、その結果、下りＦＭ信号は、当該ＰＩＮダイオード１８４と抵抗器１５２とのアッテネータ回路によって大きく減衰される。これとは反対に、下りＦＭ信号の受信レベルが小さいほど、電流Ｉｃは小さくなる。そして、この電流Ｉｃが小さくなることによって、ＰＩＮダイオード１８４の抵抗値が大きくなり、その結果、当該アッテネータ回路による下りＦＭ信号の減衰率は小さくなる。つまり、下りＦＭ信号の受信レベルに応じて、当該アッテネータ回路の減衰率が変化する。
【００６６】
その一方で、センタ装置１２側においては、下りＦＭ信号が出力される段階で、当該下りＦＭ信号の信号レベルが予め高めに設定される。換言すれば、送受光装置１４によって下りＦＭ信号が受信された段階では、当該下りＦＭ信号の受信レベルは必要以上に高くなっている。即ち、この実施形態によれば、予め高めに設定された下りＦＭ信号の信号レベルを、上述の如くＰＩＮダイオード１８４と抵抗器１５２との可変アッテネータ回路によって減衰させることで、混合分配器２２が介在するか否か、および当該混合分配器２２の介在台数に拘らず、常に一定の出力で赤外線発光ダイオード１４２，１４２，…が発光するように構成されている。つまり、当該赤外線発光ダイオード１４２，１４２，…の発光出力が、自動制御されている。
【００６７】
なお、上述した図６に示す送光回路１６０においては、例えばＦＥＴ１６６のソース端子のポイントＰｄで、図１０に示すように、＋１［Ｖ］を基準としてピーク・トゥー・ピーク値が２［Ｖ］であるときに、最も高い効率で赤外線発光ダイオード１４２，１４２，…が発光する。そして、この条件が満足されるように、つまり各赤外線発光ダイオード１４２，１４２，…が常に高効率で発光するように、センタ装置１２からの出力段階での下りＦＭ信号の信号レベルが設定される。
【００６８】
そして、上述したＰＩＮダイオード１９０と抵抗器１７０とのアッテネータ回路による減衰率もまた、ＰＩＮダイオード１８４と抵抗器１５２とのアッテネータ回路による減衰率と同様に、下りＦＭ信号の受信レベルに応じて変化する。その一方で、受光回路１４０から出力される上りＦＭ信号の信号レベルは、予め高めに設定されている。即ち、予め高めに設定された上りＦＭ信号の信号レベルを、ＰＩＮダイオード１９０と抵抗器１７０との可変アッテネータ回路によって減衰させることで、当該上りＦＭ信号の信号レベル（送信レベル）を下りＦＭ信号の受信レベルに応じて調整している。従って、混合分配器２２が介在するか否か、および当該混合分配器２２の介在台数に拘らず、センタ装置１２側においては、上りＦＭ信号を常に一定の信号レベルで受信することができる。
【００６９】
以上の説明から明らかなように、この実施形態によれば、センタ装置１２とそれぞれの送受光装置１４とは、１本の同軸ケーブル２０を介して接続されている。従って、上り専用の同軸ケーブル２と下り専用の同軸ケーブル３とが別個に設けられる上述の従来技術に比べて、赤外線会議システム１０全体の構成を簡素化しかつ低コスト化することができる。
【００７０】
また、送受光装置１４の各赤外線発光ダイオード１４２，１４２，…は、下りＦＭ信号の信号レベルに応じた大きさの電流Ｉｄによって輝度変調を掛けられるので、上述の従来技術とは異なり、相互変調積が発生しない。つまり、当該相互変調積による送受光装置１４の受光感度の低下も生じない。よって、従来よりも高い受光感度を得ることができる。
【００７１】
さらに、混合分配器２２が介在するか否か、および当該混合分配器２２の介在台数に拘らず、赤外線発光ダイオード１４２，１４２，…の発光出力が一定に自動制御される。また、センタ装置１２側の上りＦＭ信号の受信レベルも同様に、自動制御される。従って、常に安定した赤外線通信を行うことができる。なお、上述の従来技術では、混合分配器２２を設けるという発想は全くない。よって、この実施形態によれば、従来技術に比べて、より多くの送受光装置１４，１４，…を設置することができ、例えば広い会議室や複雑な形状の会議室、或いは複数の会議室等にも、十分に対応することができる。
【００７２】
なお、この実施形態においては、赤外線会議システム１０にこの発明を適用する場合について説明したが、これ以外の装置にこの発明を適用してもよい。
【００７３】
また、図２に示すチャンネルの割り当ては、飽くまで一例であって、これに限定されるものではない。即ち、図２に示すのとは異なるチャンネル数、周波数、および変調方式としてもよい。
【００７４】
さらに、図３、図４、図５、図６および図９に、各回路構成を示したが、これも飽くまで一例であって、これらに限定されるものではない。
【図面の簡単な説明】
【００７５】
【図１】この発明の一実施形態の概略構成を示すブロック図である。
【図２】同実施形態において通信に使用されるチャンネルの一覧を示す図解図である。
【図３】図１におけるセンタ装置の内部構成を示すブロック図である。
【図４】図１における混合分配器の内部構成を示すブロック図である。
【図５】図１における送受光装置の内部構成を示すブロック図である。
【図６】図５における送光回路の詳細を示す電気回路図である。
【図７】図６における赤外線発光ダイオードの順方向電流対相対発光出力特性を示すグラフである。
【図８】図５におけるＰＩＮダイオードの順方向電流対直列抵抗特性を示すグラフである。
【図９】図５における電流制御回路の詳細を示す電気回路図である。
【図１０】図６のポイントＰｄにおける電圧波形を示す図解図である。
【図１１】従来の赤外線会議システムの概略構成を示すブロック図である。
【符号の説明】
【００７６】
１０  赤外線会議システム
１２  センタ装置
１４  送受光装置
１６  端末装置
２０  同軸ケーブル
１４０  受光回路
１４２  赤外線発光ダイオード
１５０  ローパスフィルタ
１６０  送光回路
１７８  ハイパスフィルタ
【図１】
2005277926.tif 000003
【図２】
2005277926.tif 000004
【図３】
2005277926.tif 000005
【図４】
2005277926.tif 000006
【図５】
2005277926.tif 000007
【図６】
2005277926.tif 000008
【図７】
2005277926.tif 000009
【図８】
2005277926.tif 000010
【図９】
2005277926.tif 000011
【図１０】
2005277926.tif 000012
【図１１】
2005277926.tif 000013